(57)【要約】【課題】本発明は、極めて商品価値の高い画期的な棒材支持装置を提供することを目的とする。【解決手段】屋根部１に横設される棒材２を支持する棒材支持装置であって、前記屋根部１に設置する設置部３Ａとこの設置部３Ａの上部に設けられる立設部３Ｂとを有する下体３と、前記棒材２を受ける棒材受け部４Ａとこの棒材受け部４Ａの下部に設けられる垂設部４Ｂとを有する上体４とから成り、前記立設部３Ｂと前記垂設部４Ｂとは嵌合連設されるものである。【選択図】図１
2010261167.tif 000002
【特許請求の範囲】
【請求項１】
屋根部に横設される棒材を支持する棒材支持装置であって、前記屋根部に設置する設置部とこの設置部の上部に設けられる立設部とを有する下体と、前記棒材を受ける棒材受け部とこの棒材受け部の下部に設けられる垂設部とを有する上体とから成り、前記立設部と前記垂設部とは嵌合連設されるものであり、前記立設部及び前記垂設部のいずれか一方には上下方向に長さを有するガイド凹状部が設けられ、また、他方には前記ガイド凹状部に沿ってスライドするスライド凸状部が設けられ、前記ガイド凹状部のガイド縁には、このガイド縁に開口する複数の凹部が上下多段に設けられ、前記スライド凸状部を前記ガイド凹状部に位置させ任意の前記凹部に差し込み係止して前記棒材受け部の高さ位置を調節可能に設けたことを特徴とする棒材支持装置。
【請求項２】
請求項１記載の棒材支持装置において、前記スライド凸状部を前記凹部に差し込み係止させた後、前記ガイド縁と対向するガイド縁に当接させて前記スライド凸状部の抜け方向への移動を阻止するストッパー部が前記垂設部若しくは前記立設部に設けられていることを特徴とする棒材支持装置。
【請求項３】
請求項２記載の棒材支持装置において、前記垂設部は前記棒材受け部の下部に設けられる左右一対の垂設板材を有し、前記ストッパー部は、前記少なくとも一方の垂設板材に該垂設板材の内面若しくは外面に突出する折り曲げ自在な切り欠き部であり、前記スライド凸状部を前記凹部に差し込み係止させた後、前記切り欠き部を折り曲げることで前記ガイド縁と対向するガイド縁に当接させて、前記スライド凸状部の抜け方向への移動を阻止するものであることを特徴とする棒材支持装置。
【請求項４】
請求項２記載の棒材支持装置において、前記立設部は前記設置部の上部に設けられる左右一対の立設板材を有し、前記ストッパー部は、前記少なくとも一方の立設板材に該立設板材の内面若しくは外面に突出する折り曲げ自在な切り欠き部であり、前記スライド凸状部を前記凹部に差し込み係止させた後、前記切り欠き部を折り曲げることで前記ガイド縁と対向するガイド縁に当接させて、前記スライド凸状部の抜け方向への移動を阻止するものであることを特徴とする棒材支持装置。
【請求項５】
請求項１〜４いずれか１項に記載の棒材支持装置において、前記立設部及び前記垂設部のいずれか一方の後側縁部には凹状部が設けられ、また、他方には前記凹状部に差し込み係止される係止凸部が設けられ、前記スライド凸状部を前記凹部に差し込み係止した際、前記凹状部に前記係止凸部が係止される構成であることを特徴とする棒材支持装置。
【請求項６】
請求項１〜５いずれか１項に記載の棒材支持装置において、前記凹部はスリット状であることを特徴とする棒材支持装置。
【請求項７】
請求項１〜６いずれか１項に記載の棒材支持装置において、前記ガイド凹状部は窓状部であることを特徴とする棒材支持装置。
【発明の詳細な説明】
【技術分野】
【０００１】
本発明は、屋根部に横設される棒材を支持する棒材支持装置に関するものである。
【背景技術】
【０００２】
従来から、屋根部に横設される棒材、例えば棟瓦を固定する為の棟瓦固定用棒材を支持するものとして、例えば特開２００７−２０５１３１号に開示される棟金具（以下、従来例）が提案されている。
【０００３】
この従来例は、図10に図示したように屋根部に設置するハ字状の設置部53Ａとこの設置部53Ａの上部に設けられるチャンネル形状の立設部53Ｂとを有する下体53と、前記棒材を受けるコ字状の棒材受け部54Ａとこの棒材受け部54Ａの下部に設けられるチャンネル形状の垂設部54Ｂとを有する上体54とから成り、立設部53Ｂと垂設部54Ｂとは嵌合連設されるものであり、立設部53Ｂに対して垂設部54Ｂの上下方向の嵌合位置を可変することにより棒材受け部54Ａの高さ位置を調節可能に設けている。
【０００４】
従って、従来例であれば、棒材受け部54Ａの高さ位置が異なる複数の金具を用意する必要はなく、現場の条件（棟瓦の種類）に応じて棒材受け部54Ａを必要な高さ位置に合わせることができる。
【先行技術文献】
【特許文献】
【０００５】
【特許文献１】特開２００７−２０５１３１号公報
【発明の概要】
【発明が解決しようとする課題】
【０００６】
ところで、この従来例に係る棒材受け部54Ａの高さ調節構造は、図10に図示したように立設部53Ｂに係る左右一対の立設板53’夫々の後側縁部には該後側縁部に開口する凹部56が上下多段に複数設けられ、この各凹部56に差し込み係止する係止凸部57が垂設部54Ｂに係る左右一対の垂設板54’夫々の外面に上下多段に複数設けられて構成されている。
【０００７】
しかしながら、従来例は、前述したように各凹部56が立設部53Ｂの後側縁部に開口し、しかも、この各凹部56が立設板53’夫々の中央部位まで長く設けられており、よって、立設部53Ｂの後側縁部における耐荷重性能が極めて低く、強度（耐荷重性能）に問題点がある。
【０００８】
また、従来例は、実際に棒材受け部54Ａの高さ調節をする場合、図11に図示したように係止凸部57を凹部56から完全に外れる位置まで後方へスライドさせる構造（下体53と上体54を完全に分解させて行う構造）の為、下体53に対する上体54の後方への移動量が多くて煩わしく非常に作業性が悪い。これは、棒材受け部54Ａで棒材を受けた状態で行う場合は尚更である。
【０００９】
また、従来例は、例えば地震や台風などで大きな横揺れを受けた場合、その構造上、下体53から上体54が完全に外れて分解する場合がある（下体53に対して上体54が分解すると余計に棟瓦の破損状況が悪くなる。）。尚、従来例においても、この横揺れに対抗すべく、下体53及び上体54夫々に互いに合致する孔53ａ，54ａを設け、この孔53ａ，54ａに釘などのピン（図示省略）などを挿入係止する構造を具備しているが、このピンだけの係止力では信頼性は高くない。
【００１０】
本発明は、上述の問題点を解消する、従来にない作用効果を発揮する画期的な棒材支持装置を提供する。
【課題を解決するための手段】
【００１１】
沿付図面を参照して本発明の要旨を説明する。
【００１２】
屋根部１に横設される棒材２を支持する棒材支持装置であって、前記屋根部１に設置する設置部３Ａとこの設置部３Ａの上部に設けられる立設部３Ｂとを有する下体３と、前記棒材２を受ける棒材受け部４Ａとこの棒材受け部４Ａの下部に設けられる垂設部４Ｂとを有する上体４とから成り、前記立設部３Ｂと前記垂設部４Ｂとは嵌合連設されるものであり、前記立設部３Ａ及び前記垂設部４Ｂのいずれか一方には上下方向に長さを有するガイド凹状部６が設けられ、また、他方には前記ガイド凹状部６に沿ってスライドするスライド凸状部７が設けられ、前記ガイド凹状部６のガイド縁６’には、このガイド縁６’に開口する複数の凹部６ａが上下多段に設けられ、前記スライド凸状部７を前記ガイド凹状部６に位置させ任意の前記凹部６ａに差し込み係止して前記棒材受け部４Ａの高さ位置を調節可能に設けたことを特徴とする棒材支持装置に係るものである。
【００１３】
また、請求項１記載の棒材支持装置において、前記スライド凸状部７を前記凹部６ａに差し込み係止させた後、前記ガイド縁６’と対向するガイド縁６”に当接させて前記スライド凸状部７の抜け方向への移動を阻止するストッパー部８が前記垂設部４Ｂ若しくは前記立設部３Ｂに設けられていることを特徴とする棒材支持装置に係るものである。
【００１４】
また、請求項２記載の棒材支持装置において、前記垂設部４Ｂは前記棒材受け部４Ａの下部に設けられる左右一対の垂設板材４’を有し、前記ストッパー部８は、前記少なくとも一方の垂設板材４’に該垂設板材４’の内面若しくは外面に突出する折り曲げ自在な切り欠き部８ａであり、前記スライド凸状部７を前記凹部６ａに差し込み係止させた後、前記切り欠き部８ａを折り曲げることで前記ガイド縁６’と対向するガイド縁６”に当接させて、前記スライド凸状部７の抜け方向への移動を阻止するものであることを特徴とする棒材支持装置に係るものである。
【００１５】
また、請求項２記載の棒材支持装置において、前記立設部３Ｂは前記設置部４Ａの上部に設けられる左右一対の立設板材３’を有し、前記ストッパー部８は、前記少なくとも一方の立設板材３’に該立設板材３’の内面若しくは外面に突出する折り曲げ自在な切り欠き部８ａであり、前記スライド凸状部７を前記凹部６ａに差し込み係止させた後、前記切り欠き部８ａを折り曲げることで前記ガイド縁６’と対向するガイド縁６”に当接させて、前記スライド凸状部７の抜け方向への移動を阻止するものであることを特徴とする棒材支持装置に係るものである。
【００１６】
また、請求項１〜４いずれか１項に記載の棒材支持装置において、前記立設部３Ａ及び前記垂設部４Ｂのいずれか一方の後側縁部には凹状部11が設けられ、また、他方には前記凹状部11に差し込み係止される係止凸部12が設けられ、前記スライド凸状部７を前記凹部６ａに差し込み係止した際、前記凹状部11に前記係止凸部12が係止される構成であることを特徴とする棒材支持装置に係るものである。
【００１７】
また、請求項１〜５いずれか１項に記載の棒材支持装置において、前記凹部６ａはスリット状であることを特徴とする棒材支持装置に係るものである。
【００１８】
また、請求項１〜６いずれか１項に記載の棒材支持装置において、前記ガイド凹状部６は窓状部であることを特徴とする棒材支持装置に係るものである。
【発明の効果】
【００１９】
本発明は上述のように構成したから、前述した従来例に比し、極めて耐荷重性能に秀れ、しかも、棒材受け部の高さ位置を調節する際の移動量が少なくて済むから、この高さ位置の調節が極めて簡易且つ迅速に行えることになり、そして更に、例えば地震や台風などで大きな横揺れを受けた場合であっても、下体から上体が完全に外れて分解するのを可及的に防止し得ることになるなど、従来にない作用効果を発揮する画期的な棒材支持装置となる。
【図面の簡単な説明】
【００２０】
【図１】本実施例を示す分解斜視図である。
【図２】本実施例を示す斜視図である。
【図３】本実施例に係る要部の動作説明図である。
【図４】本実施例に係る要部の動作説明図である。
【図５】本実施例に係る要部の動作説明図である。
【図６】本実施例に係る要部の動作説明図である。
【図７】本実施例に係る要部の動作説明図である。
【図８】本実施例に係る要部の動作説明図である。
【図９】本実施例の使用状態説明図である。
【図１０】従来例を示す分解斜視図である。
【図１１】従来例に係る要部の動作説明図である。
【発明を実施するための形態】
【００２１】
好適と考える本発明の実施形態を、図面に基づいて本発明の作用を示して簡単に説明する。
【００２２】
立設部３Ｂ及び垂設部４Ｂのいずれか一方の上下方向に設けられたガイド凹状部６に沿って、他方に設けられたスライド凸状部７をスライドさせ、ガイド凹状部６のガイド縁６’に設けられた任意の凹部６ａにスライド凸状部７を差し込み係止することで、棒材受け部４Ａの高さ位置の調節が行われる。
【００２３】
本発明は、前述したようにスライド凸状部７を差し込み係止する凹部６ａを立設部３Ｂ及び垂設部４Ｂのいずれか一方に設けられたガイド凹状部６に設ける構造である。即ち、凹部６ａを設けても耐荷重性能の低下が起きにくい立設部３Ｂ及び垂設部４Ｂのいずれか一方の中央部位に設けられたガイド凹状部６に凹部６ａを設ける構成とすることができるから、立設部３Ｂ若しくは垂設部４Ｂにおける耐荷重性能を可及的に低下させない構成が達成され、前述した従来例に比し、極めて耐荷重性能に秀れることになる。
【００２４】
また、本発明は、立設部３Ｂ若しくは垂設部４Ｂにおける耐荷重性能に適した位置に設けられるガイド凹状部６に凹部６ａを設けることができ、よって、この凹部６ａを前述した従来例のように長くする必要がないから、凹部６ａに対するスライド凸状部７の係脱が簡易且つ迅速に行える構造が得られ、ひいては棒材受け部４Ａの高さ位置の調節が簡易且つ迅速に行えることになる。
【００２５】
また、本発明は、例えば地震や台風などで大きな横揺れを受け、スライド凸状部７が抜け方向に移動し、仮に凹部６ａに対するスライド凸状部７の係止が解除されたとしても、スライド凸状部７はガイド凹状部６内に保持されることになり（スライド凸状部７がガイド縁６”に当接するため）、下体３から上体４が完全に外れて分解することが可及的に防止されることになる。
【実施例】
【００２６】
本発明の具体的な実施例について図面に基づいて説明する。
【００２７】
本実施例は、屋根部１に横設される棒材２を支持するものであり、下体３と、この下体３の上部に連結される上体４とで構成されている。
【００２８】
具体的には、下体３は、図１，２に図示したように適宜な金属製の板材（ステンレス板材）を折り曲げ形成して構成されており、屋根部１に設置する設置部３Ａと、この設置部３Ａの上端に立設され後述する上体４の垂設部４Ｂに連結する立設部３Ｂとで構成されている。
【００２９】
設置部３Ａは、図１，２に図示したように正面視ハ字状に配される左右板材３Ａ’で構成され、この左右板材３Ａ’夫々には孔３ａが設けられ、この孔３ａは屋根部１に釘15で止着するための止着孔として機能する。
【００３０】
立設部３Ｂは、図１，２に図示したように左右の立設板材３’と該立設板材３’の端部間に架設される架設板材３”とから成るチャンネル形状材で構成され、後述する上体４の垂設部４Ｂを嵌合（嵌挿）して内側に配設するように構成されている。
【００３１】
この立設板材３’夫々には、長さ方向中央部位に上下方向に長さを有して内外面に貫通する長窓状のガイド凹状部６が設けられており、このガイド凹状部６は後述するスライド凸状部７をガイドするように構成されている。
【００３２】
また、立設板材３’夫々の上端部にしてガイド凹状部６の上方部位は、外方に折曲形成して構成されるアーチ状の逃げ部３ｂが設けられており、この逃げ部３ｂは、立設板材３’同士間に上方から後述する垂設板材４’夫々を挿入して内側に配設する際、垂設板材４’夫々の外方に突出するスライド凸状部７の通過を許容し、この逃げ部３ｂを通過させたスライド凸状部７はガイド凹状部６に対して上方から挿入して配設し得るように構成されている。
【００３３】
また、ガイド凹状部６の対向するガイド縁６’，６”のうち、一方のガイド縁６’には該ガイド縁６’に開口する複数の凹部６ａが上下多段に設けられている。
【００３４】
この各凹部６ａは、図１，２に図示したようにスリット状に形成されており、スライド凸状部７を差し込み係止し得るように構成されている。
【００３５】
また、立設板材３’夫々の後側縁部には、該後側縁部に開口する複数の凹状部11が上下多段に設けられており、この各凹状部11は、後述する垂設部４Ｂに設けられる係止凸部12を差し込み係止し得るように構成されている。
【００３６】
また、立設板材３’の前側上部位置には孔３ｃが設けられている。
【００３７】
この孔３ｃは垂設部４Ｂに係る垂設板材４’に設けられる孔４ｃと合致し、この合致孔にピン（図示省略）を挿入することで凹部６ａに対するスライド凸状部７及び凹状部11に対する係止凸部12の抜け方向への移動を阻止することになる。
【００３８】
上体４は、図１，２に図示したように適宜な金属製の板材（ステンレス板材）を折り曲げ形成して構成されており、棒材２を受ける棒材受け部４Ａと、この棒材受け部４Ａの下端に垂設され前述した下体３の立設部３Ｂと連結する垂設部３Ｂとで構成されている。
【００３９】
棒材受け部４Ａは、図１，２に図示したように正面視コ字状に配される左右板材４Ａ’で構成され、この左右板材４Ａ’夫々には孔４ａが設けられ、この孔４ａは棒材受け部４Ａで受けた棒材２に釘16で止着するための止着孔として機能する。
【００４０】
垂設部４Ｂは、図１，２に図示したように左右の垂設板材４’と該垂設板材４’の端部間に架設される架設板材４”とから成るチャンネル形状材で構成され、前述した下体３の立設部３Ｂに上方から嵌合（嵌挿）して立設板材３’夫々の内側に配設されるように構成されている。
【００４１】
また、垂設板材４’夫々にはスライド凸状部７設けられている。
【００４２】
このスライド凸状部７は、図１，２に図示したように垂設板材４’夫々の下端縁部に突出形成された突状片を外方へ水平突出状態となるように折曲して構成されている。
【００４３】
また、スライド凸状部７は、折曲した部位に切り欠き部７ａが設けられており、この切り欠き部７ａからガイド凹状部６のガイド縁６’に設けられた凹部６ａに差し込み係止し得るように構成されている。
【００４４】
従って、このスライド凸状部７を凹部６ａに差し込み係止することで、下体３に対して上体４が上下方向への移動が阻止された状態で連結されることになり、任意の凹部６ａに差し込み係止することで棒材受け部４Ａの高さ位置を調節し得ることになる。また、スリット状の凹部６ａに対して切り欠き部７ａを差し込み係止する構成とすることで、切り欠き部７ａの内縁が立設板材３’夫々の外面に係止することで立設板材３’に対する垂設板材４’夫々の側方へのガタつきが阻止されることになる。
【００４５】
また、垂設部４Ｂには、スライド凸状部７を凹部６ａに差し込み係止させた後、ガイド縁６’と対向するガイド縁６”に当接させてスライド凸状部７の抜け方向への移動を阻止するストッパー部８が設けられている。
【００４６】
具体的には、このストッパー部８は、図１，２に図示したように垂設板材４’の下端部に鉤片状の切り欠き部８ａを設け、この切り欠き部８ａを垂設板材４’の内面に突出するよう折り曲げ自在に設けて構成され、スライド凸状部７を凹部６ａに差し込み係止させた状態において、ストッパー部８を折り曲げることで該ストッパー部８の先端がガイド縁６’と対向するガイド縁６”に当接して、スライド凸状部７の抜け方向への移動を阻止するように構成されている。
【００４７】
尚、ストッパー部８はガイド凹状部６を立設部３Ｂに設ける場合には立設部３Ｂに設けても良い。
【００４８】
また、垂設板材４’夫々には、前述した各凹状部11に差し込み係止する係止凸部12が設けられている。
【００４９】
この係止凸部12は、図１，２に図示したように垂設板材４’の後側下端部を鉤状に切欠して構成されており、前述した立設部３Ｂの立設板材３’に設けられた凹状部11に差し込み係止し得るように構成されている。
【００５０】
従って、前述した凹部６ａに対するスライド凸状部７の差し込み係止と共に、この凹状部11に対する係止凸部12の差し込み係止によっても下体３に対する上体４の連結が行われることになり、上体４を支える部位を分散させることで良好な耐荷重性能を具備することになる。
【００５１】
また、垂設板材４’は、前側縁部に孔４ｃが上下多段に複数設けられている。
【００５２】
この孔４ｃは立設部３Ｂに係る立設板材３’に設けられる孔３ｃと合致し、この合致孔にピンを挿入することで抜け方向への移動を阻止することになる。
【００５３】
尚、ガイド凹状部６を垂設部４に設け、スライド凸状部７を立設部３に設けても良く、また、凹状部11を垂設部４に設け、係止凸部12を立設部３に設けるようにしても良い。
【００５４】
以上の構成から成る本実施例に係る棒材支持装置の使用方法について説明する。尚、本実施例は、屋根部１としての棟部１Ａに横設される棟瓦固定用棒材２を支持する棒材支持装置としているが、例えば笠木や垂木などの屋根部１に横設される棒材２を支持するように適宜設計変更し得るものである。
【００５５】
先ず、棒材支持装置を構成する下体３の設置部３Ａに係る左右板材３’を屋根部１（野地板１ａ）に配し、この左右板材３’夫々に設けられた孔３ａに釘15を刺して固定する。
【００５６】
尚、上体４を連結した状態で下体３を屋根部１に固定しても、上体４と分解した状態の下体３を屋根部１に固定した後、この屋根部１に固定した下体３に上体４を連結しても良い。
【００５７】
続いて、現場の条件（棟瓦の種類）に対応するように棒材受け部４Ａの高さ位置を調節する。
【００５８】
具体的には、図３，４に図示したように立設部３Ｂに設けられた凹部６ａから垂設部４Ｂに設けられたスライド凸状部７をスライドさせて係脱し、図５に図示したようにスライド凸状部７を任意の凹部６ａまでガイド凹状部６をスライドさせ、図６に図示したようにこのスライド凸状部７を任意の凹部６ａに差し込み係止する。この凹部６ａに対するスライド凸状部７の係脱と差し込み係止が行われる際、立設部３Ｂに設けられた凹状部11に対する垂設部４Ｂに設けられた係止凸部12の係脱と差し込み係止が同時に行われる。
【００５９】
続いて、図７，８に図示したように垂設部４Ｂに設けられたストッパー部８を折り曲げて該ストッパー部８の先端をガイド凹状部６に係るガイド縁６’と対向するガイド縁６”に当接させ、スライド凸状部７及び係止凸部12の抜け方向への移動を阻止する。本実施例では、折り曲げるストッパー部８が設けられる側と反対側に位置するガイド凹状部６から棒体17を挿入してストッパー部８を変形させている。
【００６０】
その後、図９に図示したように上体４の棒材受け部４Ａで棒材２を受けて釘16で止着し、常法に従い、棟部１Ａを構築する。符号18は冠瓦、19はのし瓦、20は充填材（噴き土）である。
【００６１】
本実施例は上述のように構成したから、立設部３Ｂにおける耐荷重性能を可及的に低下させない構成が達成されるから、前述した従来例に比し、極めて耐荷重性能に秀れることになる。
【００６２】
また、本実施例は、立設部３Ｂにおける耐荷重性能に適した位置に設けられるガイド凹状部６に凹部６ａを設けることができ、よって、この凹部６ａを前述した従来例のように長くする必要がないから、凹部６ａに対するスライド凸状部７の係脱が簡易且つ迅速に行える構造が得られ、ひいては棒材受け部４Ａの高さ位置の調節が簡易且つ迅速に行えることになる。
【００６３】
また、本実施例は、例えば地震や台風などで大きな横揺れを受け、仮に凹部６ａに対するスライド凸状部７の係止が解除されたとしても、スライド凸状部７はガイド凹状部６内に保持されることになり、下体３から上体４が完全に外れて分解することが可及的に防止されることになる。
【００６４】
また、本実施例は、スライド凸状部７を凹部６ａに差し込み係止させた後、ガイド縁６’と対向するガイド縁６”に当接させてスライド凸状部７及び係止凸部12の抜け方向への移動を阻止するストッパー部８が垂設部４Ｂに設けられているから、より一層下体３から上体４が完全に外れて分解することが可及的に防止されることになり、しかも、このストッパー部８は、垂設板材４’の内面若しくは外面に突出するよう折り曲げ自在な切り欠き部８ａを設けただけの構成であるから、スライド凸状部７及び係止凸部12の抜け方向への移動を阻止する状態が簡易且つ確実に得られることになる。
【００６５】
また、本実施例は、凹部６ａはスリット状であるから、この凹部６ａに差し込み係止されるスライド凸状部７を上下から挟み込むことになり、堅固な連結が達成されることになる。
【００６６】
また、本実施例は、スライド凸状部７を凹部６ａに差し込み係止させた際、立設部３Ａ（若しくは垂設部４Ｂ）の後側縁部に開口する凹状部11に差し込み係止する係止凸部12が垂設部４Ｂ（若しくは立設部３Ｂ）に設けられているから、前述した凹部６ａに対するスライド凸状部７の差し込み係止と共に、この凹状部11に対する係止凸部12の差し込み係止によっても下体３に対する上体４の連結が行われることになり、上体４を支える部位を分散させることで良好な耐荷重性能を具備することになる。
【００６７】
尚、本発明は、本実施例に限られるものではなく、各構成要件の具体的構成は適宜設計し得るものである。
【産業上の利用可能性】
【００６８】
本発明は、屋根部に横設される棟木やタル木などの棒材を支持する棒材支持装置に有用である。
【符号の説明】
【００６９】
１  屋根部
２  棒材
３  下体
３’  立設部材
３Ａ  設置部
３Ｂ  立設部
４  上体
４’  垂設板材
４Ａ  棒材受け部
４Ｂ  垂設部
６  ガイド凹状部
６’  ガイド縁
６”  ガイド縁
６ａ  凹部
７  スライド凸状部
８  ストッパー部
８ａ  切り欠き部
11  凹状部
12  係止凸部
【図１】
2010261167.tif 000003
【図２】
2010261167.tif 000004
【図３】
2010261167.tif 000005
【図４】
2010261167.tif 000006
【図５】
2010261167.tif 000007
【図６】
2010261167.tif 000008
【図７】
2010261167.tif 000009
【図８】
2010261167.tif 000010
【図９】
2010261167.tif 000011
【図１０】
2010261167.tif 000012
【図１１】
2010261167.tif 000013